(57)【要約】      （修正有）【課題】段ボールシートに余分な空間が生じないようにすることに適した段ボール箱用シートを提案する。【解決手段】段ボール箱用シート１は、１枚の段ボールシートから形成されて箱型へ組み立てることができる。箱型に組み立てたときに隣接する側板である第１側板部５と第２側板部７に対して、第２側板部を支えるための第１内板部１３は、第１側板部の内側に存在する。第１側板部を起立するための折り目は、線分状で折れ曲がる第１折り部２９と、これを横断する第１折り目３３及び第２折り目３５を利用した第２折り部３７を含む。第２折り部は、第１内板部を掛止する。【選択図】図１
0003232839.tif 000002
【実用新案登録請求の範囲】
【請求項１】
１枚の段ボールシートから形成されて箱型へ組み立て可能な段ボール箱用シートであって、
前記箱型において底板を形成する底板部と、
前記箱型において側板の一つを形成する第１側板部と、
前記箱型において前記第１側板部に隣接する側板の一つを形成する第２側板部と、
前記第２側板部から上端側に延設された第１天板部と、
前記第１天板部から前記第１側板部側に延設された第１内板部を含み、
前記第１側板部と前記底板部との間で折り曲げられる部分は、
線分状で折れ曲がる第１折れ部と、
当該第１折れ部を横断して設けられる第１切れ目部により前記第１折れ部の延長個所とは異なる複数の個所において折れ曲がる第２折れ部を含み、
前記箱型において、
前記第１内板部は、前記第１側板部の内側に存在し、
前記第１切れ目部は、前記第１折れ部よりも内側に存在して前記第１内板部を掛止して前記第２側板部を起立させて保持できる、段ボール箱用シート。
【請求項２】
前記第１側板部の上端側において、前記第２折れ部に対応する位置に設けられた突部と、
前記第１切れ目部を利用して、前記第１切れ目よりも前記第２側板部側に切欠部を備え、
前記第２折れ部は、前記切欠部及び前記第２折れ部により生じた空間に挿入された前記第１内板部の端部を掛止し、
当該段ボール箱用シートによる箱型の上に、同じ段ボール箱用シートによる箱型が設置された場合に、前記突部は、上の段ボール箱用シートによる箱型の第２折れ部により生じた空間に挿入することが可能である、請求項１記載の段ボール箱用シート。
【請求項３】
請求項１又は請求項２に記載の段ボール箱用シートを箱型に組み立ててなる段ボール箱。
【考案の詳細な説明】
【技術分野】
【０００１】
本願考案は、段ボール箱用シート及び段ボール箱に関し、特に１枚の段ボールシートから形成されて箱型へ組み立て可能な段ボール箱用シート等に関する。
【背景技術】
【０００２】
図３は、一般に用いられている側板部を支える手法を説明するための図である（特許文献１など参照）。
【０００３】
図３の段ボール箱用シート１０１において、底板部１０３は箱型を形成したときに底板に対応する部分である。側板部１０５及び１０９は、箱型を形成したときに隣接する側板に対応する。底板部１０３と側板部１０５との間の折れ目には、切れ目１０７が形成されている。側板部１０９は、上端側に天板部１１１が延設され、さらに側板部１０５側に外板部１１３が延設される。外板部１１３の先端は、挿入部１１５が設けられている。
【０００４】
箱型を形成したとき、外板部１１３は側板部１０５の外側に存在して、挿入部１１５は、箱の外側から切れ目１０７に挿入される。挿入部１１５は、水平の向きに挿入されるため、いわば横差し型と称することができる。
【０００５】
なお、図３は実験のために用いたものであり、この形そのものが公知であることを意図するものではない。
【先行技術文献】
【特許文献】
【０００６】
【特許文献１】特開２００２−１４５２４９号公報
【考案の概要】
【考案が解決しようとする課題】
【０００７】
しかしながら、挿入部１１５は、側板部１０５の外側から挿入される。外板部１１３は、側板部１０５の長さが必要となる。そのため、挿入部１１５は、通常、側板部１０５を超えて形成される。結果、空間１１７のように、側板部１０５の上端を超えた部分に空間が生じることになる。一般的には、空間１１７を有効活用するために例えば側板部１０５を二重にするなどの工夫がなされている。
【０００８】
そこで、本願考案は、段ボールシートに余分な空間が生じないようにすることに適した段ボール箱用シート等を提案することを目的とする。
【課題を解決するための手段】
【０００９】
本願考案の第１の観点は、１枚の段ボールシートから形成されて箱型へ組み立て可能な段ボール箱用シートであって、前記箱型において底板を形成する底板部と、前記箱型において側板の一つを形成する第１側板部と、前記箱型において前記第１側板部に隣接する側板の一つを形成する第２側板部と、前記第２側板部から上端側に延設された第１天板部と、前記第１天板部から前記第１側板部側に延設された第１内板部を含み、前記第１側板部と前記底板部との間で折り曲げられる部分は、線分状で折れ曲がる第１折れ部と、当該第１折れ部を横断して設けられる第１切れ目部により前記第１折れ部の延長個所とは異なる複数の個所において折れ曲がる第２折れ部を含み、前記箱型において、前記第１内板部は、前記第１側板部の内側に存在し、前記第１切れ目部は、前記第１折れ部よりも内側に存在して前記第１内板部を掛止して前記第２側板部を起立させて保持できる。
【００１０】
本願発明の第２の観点は、第１の観点の段ボール箱用シートであって、前記第１側板部の上端側において、前記第２折れ部に対応する位置に設けられた突部と、前記第１切れ目部を利用して、前記第１切れ目よりも前記第２側板部側に切欠部を備え、前記第２折れ部は、前記切欠部及び前記第２折れ部により生じた空間に挿入された前記第１内板部の端部を掛止し、当該段ボール箱用シートによる箱型の上に、同じ段ボール箱用シートによる箱型が設置された場合に、前記突部は、上の段ボール箱用シートによる箱型の第２折れ部により生じた空間に挿入することが可能である。
【００１１】
本願発明の第３の観点は、第１又は第２の観点の段ボール箱用シートを箱型に組み立ててなる段ボール箱である。
【考案の効果】
【００１２】
本願考案の各観点によれば、第１内板部を上から底板に指すことにより段ボール箱を形成する、いわば縦差し型のものである。そのため、第１内板部は、第１側板部の高さを確保すればよい。第１側板部の高さを大幅に超える長さを確保する必要はなく、段ボールシートにおいて余分なスペースが発生することを防ぐことができる。
【００１３】
また、出願人は、実験により、本願発明の縦指し型の段ボール箱が十分な強度があり、輸送時にも、良好な性能を有し、少なくとも従来の横差し型の段ボール箱と同程度は確保されることを確認した。
【図面の簡単な説明】
【００１４】
【図１】本願考案の実施の形態に係る段ボール箱用シートの構成の一例を示す図である。
【図２】本願考案に係る段ボール箱用シートを実際に箱型に組み立てた状態を示す。
【図３】従来の段ボール箱用シートの一例を示す図である。
【考案を実施するための形態】
【００１５】
以下では、図面を参照して、本願考案の実施例について説明する。なお、本願考案は、この実施例に限定されるものではない。
【実施例】
【００１６】
図１は、本願考案の実施の形態に係る段ボール箱用シートの構成の一例を示す図である。段ボール箱用シート１は、１枚の段ボールシートから形成されて箱型へ組み立てることができる。図１（ａ）は段ボール箱用シート１の全体を示す。図１（ｂ）は、図１（ａ）の右上のＰの部分の拡大図である。
【００１７】
段ボール箱用シート１は、右上のＰの部分において、底板部３（本願請求項の「底板部」の一例）と、第１側板部５（本願請求項の「第１側板部」の一例）と、第２側板部７（本願請求項の「第２側板部」の一例）と、第１天板部９（本願請求項の「第１天板部」の一例）と、第１内板部１３（本願請求項の「第１内板部」の一例）と、第２内板部１５を含む。右下、左上及び左下の部分についても、同様である。
【００１８】
底板部３は、箱型に組み立てたときに底板を形成する部分である。
【００１９】
第１側板部５は、箱型に組み立てたときに側板の一つを形成する部分である。
【００２０】
第２側板部７は、箱型に組み立てたときに第１側板部５に隣接する側板の一つを形成する部分である。
【００２１】
第１天板部９は、第２側板部７から上端側に延設され、箱型に組み立てたときに天板の一部を形成する部分である。
【００２２】
第１内板部１３は、第１天板部９から第１側板部５側に延設され、箱型に組み立てたときに第１側板部５の内側に存在する。端部１７は、第１内板部１３において第１側板部５側の端である。
【００２３】
第２内板部１５は、第１側板部５から第２側板部７側に延設され、箱型に組み立てたときに第２側板部７の内側に存在する。
【００２４】
折れ部は、箱型に組み立てたときに折れ曲がる個所である。
【００２５】
第１側板部５と第２内板部１５との間には、線分状の折れ部２１が存在する。底板部３と第２側板部７との間には、線分状の折れ部２３が存在する。第２側板部７と第１天板部９との間には、線分状の折れ部２５が存在する。第１天板部９と第１内板部１３との間には、線分状の折れ部２７が存在する。
【００２６】
底板部３と第１側板部５との間の折れ部について具体的に説明する。
【００２７】
底板部３と第１側板部５との間には、線分状の第１折れ部２９が存在する。
【００２８】
第１折れ部２９を横断する切れ目が設けられている。図１（ｂ）では、第１切れ目３３（第２側板部７側の切れ目である第１切れ目３３が本願請求項の「第１切れ目」の一例であり、第１折れ部２９において第１切れ目３３よりも第２側板部７側の部分が本願請求項の「第１折れ部」の一例である。）及び第２切れ目３５が設けられている。第１切れ目３３と第２切れ目３５により、これらの間の第２折れ部３７（本願請求項の「第２折れ部」の一例）は第１折れ部２９の延長とは異なる複数の個所である折れ部３９及び折れ部４１において折り曲げられる。切欠部３１は、第１切れ目３３を利用して、第１切れ目３３よりも第２側板部７側に設けられている。切欠部３１は、箱型に組み立てたときに端部１７が挿入される個所であり、第１折れ部２９に沿って設けられている。
【００２９】
第１側板部５では、上端側に突部４５が設けられている。突部４５は、第１側板部５の下端側の第２折れ部３７の幅に対応した幅である。
【００３０】
箱型に組み立てたときに、第１折れ部２９は、１か所の折れ目によって底板部３から第１側板部５を鉛直上方に起立させる。他方、第２折れ部３７は、複数の折れ目で折れ曲がって、各折れ目での曲がり方が積み重なって鉛直上方に起立させる。そのため、箱型に組み立てたときに、第２折れ部３７は、第１折れ部２９よりも内側に存在する。箱型に組み立てたときに、端部１７は切欠部３１及び第２折れ部３７により生じた空間に挿入され、第２折れ部３７は端部１７を掛止する。
【００３１】
段ボール箱用シート１は、第１内板部１３を上から底板に指すことにより段ボール箱を形成することから、第１内板部１３は第１側板部５の高さを確保すればよい。そのため、第１側板部５の高さを大幅に超える長さを確保する必要はなく、段ボールシートにおいて余分なスペースが発生することを防ぐことができる。
【００３２】
段ボール箱用シート１を複数用いて複数の箱型を組み立て、第１天板部９などを利用してこれらを積み上げたときに、下の箱型の突部４５は、上の箱型の第２折れ部３７により生じた空間に挿入することができる。これにより、積み上げたときの強度を確保することができる。
【００３３】
図２は、本願考案に係る段ボール箱用シートを実際に箱型に組み立てた状態を示す。図２（ａ）は箱型の全体を示し、図２（ｂ）は第２折れ部による端部を掛止する状態を拡大したものである。図２（ｃ）は、複数の箱型を積み重ねた状態を示す。第２折れ部により生じた空間に突部が挿入されることにより、安定して積み重なっている。
【００３４】
出願人は、本願発明の段ボール箱の強度について実験を行った。
【００３５】
空箱圧縮強度について、恒温恒湿室にて調湿（２４時間以上の調湿（２３℃、５０％ＰＨ））の後、歪量１０ｍｍ以内の最大圧縮強度を測定した。水分７％補正値の最小値は２１２７Ｎ（２１６ｌｇｆ）であった。１箱重量１．５ｋｇ、積段数１５段と想定しても、最下段荷重は２０６Ｎ（２１ｋｇｆ）であり、安全係数は高く十分な強度を有している。
【００３６】
輸送について、箱詰め替え後、ＰＰバンド掛け（段ボール箱５段で１梱包、ＰＰバンド掛けはキの字掛け）を実施し、パレット積み（１梱包を棒積み（１０段）、混載）を行い、搬送した。図３の従来品についても同様に実験を行い、比較した
【００３７】
出荷時には、箱詰め替え後のケース水分は９〜１０％で推移して内側の結露は発生しなかった。また、ＰＰバンドの食い込みはなく良好な状態であった。ＰＰバンドを持って荷扱い作業を実施した場合も問題なかった。
【００３８】
また、着荷時（混載）には、ケース水分は１１〜１３％で推移し、内側の結露は発生しなかった。また、ＰＰバンドの食い込みはなく、良好な状態であった。ＰＰバンドを持って荷扱い作業を実施した場合も問題はなかった。なお、一部ケースの座屈が発生していたが、ケースへの接触痕があり、これは接触の影響により発生したと考えられる。
【００３９】
出願人は、空箱圧縮強度の実験により、本願発明の段ボール箱が十分に強度を有していることを確認した。また、輸送試験により、輸送時の着荷状態は良好であり、従来品に劣るものではないことを確認した。
【符号の説明】
【００４０】
１  段ボール箱用シート、３  底板部、５  第１側板部、７  第２側板部、９  第１天板部、１３  第１内板部、１５  第２内板部、１７  端部、２１，２３，２５，２７，３９，４１  折れ部、２９  第１折れ部、３１  切欠部、３３  第１切れ目、３５  第２切れ目、３７  第２折れ部、４５  突部
【図１】
0003232839.tif 000003
【図２】
0003232839.tif 000004
【図３】
0003232839.tif 000005